(57)【特許請求の範囲】
【請求項１】
表示装置において、
画像を表示する表示パネルと、
前記表示パネルの一辺に接続されたデータ駆動部と、
前記表示パネルに光を供給し、前記表示パネルの背面の全体に渡って配置される複数のランプユニットと、
前記複数のランプユニットと其々に電気的に接続される複数のパターンキャパシターが形成されたインバーターとを含んで、
前記パターンキャパシターは印刷回路基板と、前記印刷回路基板の少なくとも一面に形成された複数の導電膜を含んで、
前記データ駆動部に隣接する外郭の部分にある前記ランプユニットに接続された前記パターンキャパシターは、前記データ駆動部から離れた外郭の部分にある前記ランプユニットに接続された前記パターンキャパシターより小さい電気容量を持って、
前記複数のランプユニットに実質的に同じ管電流が流れることを特徴とする表示装置。
【請求項２】
前記複数のランプユニットは前記インバーターに並列に接続されたことを特徴とする、請求項１の記載の表示装置。
【請求項３】
前記導電膜は前記印刷回路基板の両面に相互に対応するよう一対に形成されることを特徴とする、請求項１の記載の表示装置。
【請求項４】
前記複数のパターンキャパシターの中の少なくとも一つのパターンキャパシターの導電膜は他のパターンキャパシターの導電膜と相異なる面積を持つことを特徴とする、請求項１乃至３の中のいずれか一項の記載の表示装置。
【請求項５】
前記データ駆動部に隣接する外郭の部分にある前記ランプユニットに接続された前記パターンキャパシターの導電膜の面積は、前記データ駆動部から離れた外郭の部分にある前記ランプユニットに接続された前記パターンキャパシターの導電膜の面積より小さいことを特徴とする、請求項１乃至４のいずれか１項に記載の表示装置。
【請求項６】
一つの前記パターンキャパシターは前記ランプユニットに接続された主キャパシターと、
前記主キャパシターの回りに配置された少なくとも一つの副キャパシターとを含んで、
一つの前記主キャパシターは一対の主導電膜を含んで、
少なくとも一つの前記副キャパシターは其々に一対の副導電膜を含むことを特徴とする、請求項４の記載の表示装置。
【請求項７】
前記複数のパターンキャパシターの全ての主キャパシターは実質的に同じ面積を持って、
前記少なくとも一つの副キャパシターは前記主キャパシターに選択的に接続あるいは遮断されることを特徴とする、請求項６の記載の表示装置。
【請求項８】
前記データ駆動部に隣接する外郭の部分にある前記ランプユニットに接続された前記パターンキャパシターは、前記データ駆動部から離れた外郭の部分にある前記ランプユニットに接続された前記パターンキャパシターより前記主キャパシターに接続された前記副キャパシターの数が少ないことを特徴とする、請求項７の記載の表示装置。
【請求項９】
前記複数のランプユニットは其々に冷陰極蛍光ランプを含むことを特徴とする、請求項１乃至３の中のいずれか一項の記載の表示装置。
【発明の詳細な説明】
【技術分野】
【０００１】
本発明はバックライトアセンブリ及びこれを具備する表示装置に係わり、より詳しくは均一な輝度を持つバックライトアセンブリ及びこれを具備する表示装置に関する。
【背景技術】
【０００２】
表示装置には様々な種類がある。その中では急激に発展している半導体技術によって、性能の向上や小型化及び軽量化された液晶表示（ｌｉｑｕｉｄ  ｃｒｙｓｔａｌ  ｄｉｓｐｌａｙ，  ＬＣＤ）パネルを具備する表示装置が代表的である。
【０００３】
このような液晶表示パネルは、表示装置が必要な携帯電話、ＰＤＡ（ｐｅｒｓｏｎａｌ  ｄｉｇｉｔａｌ  ａｓｓｉｓｔａｎｔ）、及びＰＭＰ（ｐｏｒｔａｂｌｅ  ｍｕｌｔｉｍｅｄｉａ  ｐｌａｙｅｒ）などのような小型製品だけではなく、中大型製品であるモニターやＴＶにも装着される等、表示装置が必要なほとんど全ての情報処理機器に使われている。
【０００４】
液晶表示装置は自ら発光できない受光型の表示パネルであるので、表示装置は液晶表示パネルの背面へ光を供給するバックライトアセンブリ（ｂａｃｋｌｉｇｈｔ  ａｓｓｅｍｂｌｙ）が必要である。
【０００５】
バックライトアセンブリは光源として冷陰極蛍光ランプ（ｃｏｌｄ  ｃａｔｈｏｄｅ  ｆｌｕｏｒｅｓｃｅｎｔ  ｌａｍｐ，  ＣＣＦＬ）、外部電極蛍光ランプ（ｅｘｔｅｒｎａｌ  ｅｌｅｃｔｒｏｄｅ  ｆｌｕｏｒｅｓｃｅｎｔ  ｌａｍｐ，  ＥＥＦＬ）、熱陰極蛍光ランプ（ｈｏｔ  ｃａｔｈｏｄｅ  ｆｌｕｏｒｅｓｃｅｎｔ  ｌａｍｐ，  ＨＣＦＬ）などのような様々なランプユニットが使われる。
【０００６】
しかし、このようなランプユニットは駆動の時に光と共に熱が発生するので、ランプユニットの温度が高くなる。そしてランプユニットは位置によって温度が相異なる。
【０００７】
ランプユニットの持つ管電流は温度の影響を受けるので、ランプユニット温度によって相異なる管電流を持つ。従ってランプユニットは位置によって発する輝度が相異なる。
【０００８】
したがって、バックライトアセンブリは均一な輝度の光を発生できない問題点がある。また、バックライトアセンブリから均一な輝度の光を供給されない表示装置は、表示する画像の品質が低下するという問題点がある。
【発明の開示】
【発明が解決しようとする課題】
【０００９】
本発明の目的は前述の問題点を解決するためことで、均一な輝度の光を発するバックライトアセンブリを提供することである。
【００１０】
また前記バックライトアセンブリを具備する表示装置を提供することである。
【課題を解決するための手段】
【００２１】
前記目的と達成するために、本発明による表示装置は、画像を表示する表示パネルと、前記表示パネルの一辺に接続されたデータ駆動部と、前記表示パネルに光を供給し、前記表示パネルの背面の全体に渡って配置される複数のランプユニットと、前記複数のランプユニットと其々に電気的に接続される複数のパターンキャパシターが形成されたインバーターとを含んで、前記パターンキャパシターは印刷回路基板と、前記印刷回路基板の少なくとも一面に形成された複数の導電膜を含んで、前記データ駆動部に隣接する外郭の部分にある前記ランプユニットに接続された前記パターンキャパシターは、前記データ駆動部から離れた外郭の部分にある前記ランプユニットに接続された前記パターンキャパシターより小さい電気容量を持って、前記複数のランプユニットに実質的に同じ管電流が流れることを特徴とする。
【００２２】
ここで、前記複数のランプユニットは前記インバーターに並列に接続されてもよい。
【００２３】
また、前記導電膜は前記印刷回路基板の両面に相互に対応するよう一対に形成されてもよい。
【００２４】
また、前記複数のパターンキャパシターの中の少なくとも一つのパターンキャパシターの導電膜は他のパターンキャパシターの導電膜と相異なる面積を持ってもよい。
【００２５】
ここで、前記データ駆動部に隣接する外郭の部分にある前記ランプユニットに接続された前記パターンキャパシターの導電膜の面積は、前記データ駆動部から離れた外郭の部分にある前記ランプユニットに接続された前記パターンキャパシターの導電膜の面積より小さい。
【００２６】
また、一つの前記パターンキャパシターは前記ランプユニットに接続された主キャパシターと、前記主キャパシターの回りに配置された少なくとも一つの副キャパシターとを含んで、一つの前記主キャパシターは一対の主導電膜を含んで、少なくとも一つの前記副キャパシターは其々に一対の副導電膜を含んでもよい。
【００２７】
ここで、前記複数のパターンキャパシターの全ての主キャパシターは実質的に同じ面積を持って、前記少なくとも一つの副キャパシターは前記主キャパシターに選択的に接続あるいは遮断されてもよい。
【００２８】
ここで、前記データ駆動部に隣接する外郭の部分にある前記ランプユニットに接続された前記パターンキャパシターは、前記データ駆動部から離れた外郭の部分にある前記ランプユニットに接続された前記パターンキャパシターより前記主キャパシターに接続された前記副キャパシターの数が少ない。
【００３０】
また、前記複数のランプユニットは其々に冷陰極蛍光ランプを含んでもよい。
【発明の効果】
【００３１】
本発明によれば、バックライトアセンブリは均一な輝度の光を発生することができる。即ち、相対的に高い温度のランプユニットと相対的に低い温度のランプユニットとに流れる管電流を実質的に同一に維持できる。
【００３２】
また、主キャパシターに接続された副キャパシターの数を調節して各ランプユニットに接続されたパターンキャパシターの電気容量を調節することが可能である。これによって、バックライトアセンブリが使用される環境によって相異なる複数のランプユニットの温度の分布に合わせ、各ランプユニットに接続されたパターンキャパシターの電気容量を調節することができる。これでバックライトアセンブリは相異なる環境でも均一の光を発生することができる。
【００３３】
また前記バックライトアセンブリを具備する表示装置を提供できる。これに従って表示装置は画像の品質を安定的に維持することができる。
【発明を実施するための最良の形態】
【００３４】
以下添付図面を参照して本発明の実施例について、本発明の属する技術分野で通常の知識を持つ者が容易に実施できるよう詳しく説明する。本発明は様々な形態に具現されることであって、今から説明する実施例に限られることではない。
【００３５】
本発明を明確にするために説明に直接に関係ない部分は省略して、明細書の全体を通じて同一或いは類似の構成要素については同一の参照符号をつけることにする。
【００３６】
また、図面は様々な層及び領域を明確に表現するために厚さが拡大して示されている。明細書の全体を通じて類似の部分に関しては同一の図面番号が付けられている。層、膜、領域、板などの部分が他の部分の“上に”あると言う時、これは他の部分の“すぐ上に”ある場合だけではなくて、その間にまた他の部分がある場合も含む。反対に、一つの部分が他の部分の“すぐ上に”あると言う場合はその間にまた他の部分がないことを意味する。
【００３７】
また、様々な実施例において、同一な構成を持つ構成要素に関しては同一の符号をつけて代表的に第１実施例で説明して、その他の実施例では第１実施形態と相異なる構成に関してだけ説明する。
【００３８】
図１及び図２を参照して本発明の第１実施形態を説明する。図１はバックライトアセンブリ７０の分解の斜視図で、図２は図１のＩＩ−ＩＩ線による断面を示している。
【００３９】
図１及び図２に示されているように、バックライトアセンブリ７０はランプユニット７６とインバーター７３とを含む。そしてバックライトアセンブリ７０はランプソケット７７、光学部材７４、反射部材７９、ランプカバー７８、支持部材７１、及び収納部材７５を更に含む。
【００４０】
ランプユニット７６は複数配置されて光を発する。ランプユニット７６として冷陰極蛍光ランプ（ｃｏｌｄ  ｃａｔｈｏｄｅ  ｆｌｕｏｒｅｓｃｅｎｔ  ｌａｍｐ，  ＣＣＦＬ）、外部電極蛍光ランプ（ｅｘｔｅｒｎａｌ  ｅｌｅｃｔｒｏｄｅ  ｆｌｕｏｒｅｓｃｅｎｔ  ｌａｍｐ，  ＥＥＦＬ）、及び熱陰極蛍光ランプ（ｈｏｔ  ｃａｔｈｏｄｅ  ｆｌｕｏｒｅｓｃｅｎｔ  ｌａｍｐ，  ＨＣＦＬ）などのようなランプが適用できる。本発明の第１実施形態でランプユニット７６は冷陰極蛍光ランプが適用されるが、必ずしもこれに限られることではない。ランプユニット７６は光を発生するランプ部と、このランプ部の両段部にある電極部とを含む。
【００４１】
ランプユニット７６は駆動の時に光と熱を一緒に発生するので、作動してから一定の時間が過ぎるとランプユニット７６の温度が高くなる。そしてランプユニット７６はその位置によって相異なる温度を持つ。
【００４２】
一般的にバックライトアセンブリ７０は直立した状態で表示装置に装着される場合が多い。ランプユニット７６は駆動の時に熱を発生するが、下部にあるランプユニット７６からの熱が上部にあるランプユニット７６に伝達されるので、通常上部のランプユニット７６の温度が高くなる。本実施形態では図１のＡ方向に位置するランプユニット７６が上部に位置して、図１のＢ方向に位置するランプユニット７６が下部に位置することにする。ランプユニット７６に流れる管電流は温度の影響を受ける。即ち、相対的に高い温度のＡ方向のランプユニット７６は相対的に低い温度のＢ方向のランプユニット７６より高い管電流が流れることになる。ランプユニット７６に流れる管電流が高くなるほど、ランプユニット７６の発する光の輝度が高くなる。したがって、複数のランプユニット７６の両側の電極部に同じ電圧と電流が供給されると、ランプユニット７６の持つ温度偏差によって各ランプユニット７６の間の輝度が不均一になる。
【００４３】
インバーター７３は外部の電力を一定の電圧のレベルに変圧した後ランプユニット７６に印可することによってランプユニット７６を駆動させる。インバーター７３は印刷回路基板７３５とこの印刷回路基板７３５の上に形成された様々な回路膜７３６、７３７を含む。特にインバーター７３は複数のインバーター７３に其々電気的に接続された複数のパターンキャパシター７３１を含む。パターンキャパシター７３１は印刷回路基板７３５と、この印刷回路基板７３５の両面に相互に向かい合うよう形成された一対の導電膜７３６を含む。即ち印刷回路基板７３５の両側に導電膜７３６が其々形成される。ここで印刷回路基板７３５はパターンキャパシター７３１の誘電体になって、導電膜７３６はパターンキャパシターの電極になる。
【００４４】
複数のパターンキャパシター７３１の中で少なくとも一つのパターンキャパシター７３１は、他のパターンキャパシター７３１より大きいあるいは小さい電気容量を持つ。即ち全てのパターンキャパシター７３１が相異なる電気容量を持つことが可能で、一部のパターンキャパシター７３１が実質的に同じ電気容量を持つことが可能であるが、全てのパターンキャパシター７３１が同一の電気容量を持つことではない。具体的には、複数のランプユニット７６の中で、駆動の時に相対的に高い温度のＡ方向のランプユニット７６に接続されたパターンキャパシター７３１は、駆動の時に相対的に低い温度のＢ方向のランプユニット７６に接続されたパターンキャパシター７３１より小さい電気容量を持つ。
【００４５】
このように、相対的に高い温度を持つランプユニット７６にはその高い温度による高い管電流が流れるので、相対的に小さい電気容量を持つパターンキャパシター７３１に接続されることでランプユニット７６に流れる管電流を相対的に低減させる。一方、相対的に低い温度を持つランプユニット７６にはその低い温度により小さい管電流が流れるので、相対的に大きい電気容量を持つパターンキャパシター７３１に接続されることでランプユニット７６に流れる管電流を相対的に増加させる。従って全てのランプユニット７６には実質的に同一の管電流が流れるようになる。ここで管電流が実質的に同一だというのは、各ランプユニット７６から発する光の輝度が肉眼で区別できない範囲の以内で偏差を持つことである。即ち複数のランプユニット７６は相互に実質的に均一な輝度を持つようになる。
【００４６】
一方で、本実施例では一般的に上部にあるランプユニット７６の温度が高くて管電流が大きいので輝度が大きいと説明したが、本発明が必ずしもこれに限られることではない。即ちランプユニット７６の温度は放熱構造等にも影響を受けるので、例えば中央に位置するランプユニット７６の温度が一番高い場合もある。パターンキャパシター７３１の電気容量は実際にランプユニット７６の間の輝度の差が考慮されてから決定される。また、ランプユニット７６の温度は直立した状態で使われるかあるいは横たわれた状態で使われるかによっても変化するので、使われる形態を予想してパターンキャパシター７３１の電気容量を調節するのも可能である。ランプソケット７７はランプユニット７６の両段部を支持しながら電極部に接続する。ランプソケット７７はランプユニット７６とインバーター７３を電気的に接続させる。即ちインバーター７３のパターンキャパシター７３１はランプユニット７６を介してランプユニット７６に接続される。ランプソケット７７は収納部材７５に結合されて固定される。図２でランプソケット７７はインバーター７３に直接接続されているが、本発明が必ずしもこれに限られることではない。従って、ランプソケット７７はワイヤやケーブルによってインバーター７３に電気的に接続されることも可能である。
【００４７】
ランプカバー７８はランプユニット７６の両側の段部を其々に覆う。即ちランプカバー７８はランプユニット７６の電極部とランプソケット７７とを覆えて保護する。また、ランプカバー７８はランプユニット７６からの光の一部を反射して光の利用効率を向上させる役割を果たす。また、ランプカバー７８は光学部材７４の一部の縁を支持することも可能である。
【００４８】
光学部材７４はランプユニット７６から出射された光を拡散させる拡散板７４１と、この拡散板７４１を通過した光の輝度の特性を更に確報するための光学シート類７４２を含む。光学シート類７４２は拡散シート、プリズムシート、輝度強化シート、及び保護シート等の色んな機能のシートを含む。
【００４９】
収納部材７５はランプユニット７６、ランプソケット７７、ランプカバー７８、反射部材７９、支持部材７１、及び光学部材７４を収納する。また、収納部材７５の背面にはインバーター７３が配置される。
【００５０】
反射部材７９はランプユニット７６が収納された収納部材７５の底面に配置され、ランプユニット７６から出射されてから光学部材７４に反射された光の一部を再び反射する。即ちランプユニット７６から出射された光が全て全面の方向に向かうよう反射して光の損失を減らし、光の拡散に寄与してバックライトアセンブリ７０で提供される光の均一性の向上に寄与する。
【００５１】
支持部材７１は収納部材７５に結合されて光学部材７４を固定させる。また、支持部材７１はバックライトアセンブリ７０の上に配置される表示パネル５０（図８に示されている）の縁を支持する。図１では支持部材７１が”コ”の字形で分割形成されているが、本発明が必ずしもこれに限られることではなく、支持部材７１は一体に形成されることも可能である。
【００５２】
また、図１では収納部材７５と支持部材７１とも使われているが、これはただ本発明を例示する為のことであって、本発明が必ずしもこれに限られることではない。従って支持部材７１が省略されることも可能である。
【００５３】
このような構成によって、バックライトアセンブリ７０は均一な輝度の光を発生することができる。
【００５４】
以下、図３及び図４を参照してインバーター７３に関して詳しく説明する。図３は収納部材７５の背面に配置されたインバーター７３の簡略化された平面図、即ちバックライトアセンブリ７０の背面の平面図の一部である。図３で点線はランプユニット７６及びランプソケット７７を示している。図４はインバーター７３のパターンキャパシター７３１の断面を示している。
【００５５】
図３に示されているように、一対のインバーター７３がランプユニット７６の両側の段部に其々電気的に接続される。ここでインバーター７３とランプユニット７６はランプソケット７７を介して接続される。インバーター７３はパターンキャパシター７３１と回路部７３２とを含む。回路部７３２は駆動回路と電源供給回路等を含む。そして図３に示されていないが、インバーター７３はパターンキャパシター７３１と回路部７３２等を相互に接続させる配線を更に含む。
【００５６】
パターンキャパシター７３１、回路部７３２、及び配線（未図示）等は印刷回路基板７３５に形成される。具体的には、パターンキャパシター７３１は図４に示されているように、印刷回路基板７３５と、印刷回路基板７３５の両面に相互に対応するよう其々形成された一対の導電膜７３６とで成される。ここで、相互に対応する一対の導電膜７３６は実質的に同一の面積を持つ。即ち印刷回路基板７３５はパターンキャパシター７３１の誘電体になって、一対の導電膜７３６はパターンキャパシター７３１の電極に成る。
【００５７】
一方、実施形態と違って導電膜７３６は印刷回路基板７３５の一面だけに形成されることも可能である。
【００５８】
パターンキャパシター７３１はランプユニット７６の一側毎に一つずつ接続される。即ちインバーター７３は様々な電気容量を持つ複数のパターンキャパシターを持つ。複数のランプユニット７６はインバーター７３に並列に接続されている。
【００５９】
複数のパターンキャパシター７３１の中で少なくとも一つのパターンキャパシター７３１の導電膜７３６は、他のパターンキャパシター７３１の導電膜７３６とは相異なる面積を持つ。即ち全てのパターンキャパシター７３１の導電膜７３６は相互に対応する一対の導電膜７３６を除いて、相異なる面積を持ったり、一部のパターンキャパシター７３１の導電膜７３６が実質的に相互に同一の面積を持つことも可能である。ただし、全てのパターンキャパシター７３１の導電膜７３６が同一の面積を持つことはない。
【００６０】
このように、パターンキャパシター７３１は其々相互に面積の差がある導電膜７３６を持つことができるので、インバーター７３は様々な電気容量を持つ複数のパターンキャパシター７３１を持つことができる。パターンキャパシター７３１の電気容量は一対の導電膜７３６の面積に比例する。
【００６１】
複数のランプユニット７６の中で、駆動の際に相対的に高い温度を持つＡ方向のランプユニット７６に接続されたパターンキャパシター７３１の一対の導電膜７３６の面積は、駆動の際に相対的に低い温度を持つＢ方向のランプユニット７６に接続されたパターンキャパシター７３１の一対の導電膜７３６の面積より小さい。
【００６２】
このような構成により、バックライトアセンブリ７０は均一な輝度の光を発生することができる。即ち相対的に高い温度を持つランプユニット７６と相対的に低い温度を持つランプユニット７６に流れる管電流を実質的に同一に維持できる。
【００６３】
図５は一つのランプユニット７６に接続されたインバーター７３を簡略に示している回路図である。図５に示されているように、回路部７３２に含まれた電源供給回路はトランスフォーマー（ｔｒａｎｓｆｏｒｍｅｒ）を持つ。電源供給回路から供給される電源は駆動回路の制御のよりパターンキャパシター７３１を介してランプユニット７６の段部に供給される。
【００６４】
図６及び図７を参照して本発明の第２実施形態を説明する。図６は収納部材８５の背面に配置されたインバーター８３の簡略化された背面の平面図である。図６で点線はランプユニット８６及びランプソケット８７を示している。図７はインバーター８３のパターンキャパシター７３１の断面を示している。
【００６５】
図６に示されているように、一つのパターンキャパシター８３１はランプユニット８６に接続された主キャパシター８３１１と、主キャパシター８３１１の回りに配置された少なくとも一つの副キャパシター８３１２とを含む。ここで、少なくとも一つの副キャパシター８３１２は選択的に主キャパシター８３１１に接続あるいは遮断される。図６では、一つの主キャパシター８３１１の回りに八つの副キャパシター８３１２が配置されている。主キャパシター８３１１及び副キャパシター８３１２は公知の技術、例えばレーザー、ワイヤ、及びはんだづけ等の様々な方法によって相互に接続あるいは遮断されることが可能である。
【００６６】
一つの主キャパシター８３１１は印刷回路基板８３５を間にして相互に対応する一対の主導電膜８３６を含んで、少なくとも一つの副キャパシター８３１２は其々に印刷回路基板８３５を間にして相互に対応する一対の副導電膜８３８を含む。ここで、相互に対応する主導電膜８３６と相互に対応する其々の一対の副導電膜８３８は実質的に全て同一の面積を持つ。また、複数のパターンキャパシター８３１の主キャパシター８３１１は実質的に全て同一の電気容量を持つ。即ち主キャパシター８３１１の主導電膜８３６の面積は実質的に全て同一である。したがって、主キャパシター８３１１に接続された副キャパシター８３１２の数によってパターンキャパシター８３１の全体の電気容量が決定される。
【００６７】
複数のランプユニット８６の中で、駆動の際に相対的に高い温度を持つＡ方向のランプユニット８６に接続されたパターンキャパシター８３１は、駆動の際に相対的に低い温度を持つＢ方向のランプユニット８６に接続されたパターンキャパシター８３１より主キャパシター８３１１に接続された副キャパシター８３１２の数が少ない。
【００６８】
このように、主キャパシター８３１１に接続された副キャパシター８３１２の数を調節して、各ランプユニット８６に接続されたパターンキャパシター８３１の電気容量が調節できる。
【００６９】
このような構成により、バックライトアセンブリ８０は均一な輝度の光を発生させられる。即ち、相対的に高い温度のランプユニット８６と相対的に低い温度のランプユニット８６に流れる管電流を実質的に同一に維持できる。
【００７０】
また、バックライトアセンブリ８０が使われる環境によって相異なる複数のランプユニット８６の温度分布に合わせて、各ランプユニット８６に接続されたパターンキャパシター８３１の電気容量を調節することも可能である。したがって、バックライトアセンブリ８０は相異なる環境で使われても均一な光を発生することができる。
【００７１】
また、主キャパシター８３１１の回りに配置された副キャパシター８３１２の数が多ければ多い程、ランプユニット８６の輝度の調節を更に均一且つ精密にすることができる。
【００７２】
図８及び図９を参照して本発明の第３実施形態の表示装置１００を説明する。図８及び図９の表示装置１００は図１乃至図５のバックライトアセンブリ７０を含む。
【００７３】
図８及び図９は表示装置１００に適用される表示パネル５０の実施形態として液晶表示パネルを示しているが、これはただ本発明の例示であって本発明がこれに限られることではなく、相異なる受光式表示パネルが適用されることも可能である。
【００７４】
表示装置１００は光を供給するバックライトアセンブリ７０と光が供給されて画像を表示する表示パネル５０とを含む。ここで、表示パネル５０はバックライトアセンブリ７０の支持部材７１によって支持される。他に表示装置１００は表示パネル５０をバックライトアセンブリ７０の上に固定且つ支持する為にカバー部材６０を更に含んで、他の必要な部分を更に含むことができる。
【００７５】
また、表示装置１００は表示パネル５０に電気的に接続され駆動信号を伝達する複数の駆動集積回路チップパッケージ４３、４４、及び駆動印刷回路基板４１、４２を含む。ここで、駆動集積回路チップパッケージ４３、４４はチップオンフィルムパッケージ（ｃｈｉｐ  ｏｎ  ｆｉｌｍ  ｐａｃｋａｇｅ，  ＣＯＦ）、あるいはテープキャリアパッケージ（ｔａｐｅ  ｃａｒｒｉｅｒ  ｐａｃｋａｇｅ，  ＴＣＰ）で形成される。
【００７６】
駆動集積回路チップパッケージは、複数のゲート駆動集積回路チップパッケージ４３と、複数のデータ駆動集積回路チップパッケージ４４とを含む。ゲート駆動集積回路チップパッケージ４３は表示パネル５０の一側の縁に付着され表示パネル５０にゲート信号を供給する。データ駆動集積回路チップパッケージ４４は前記一側に隣接した表示パネル５０の他側に付着され表示パネル５０にデータ信号が含んだ他の信号を供給する。
【００７７】
即ちゲート駆動集積回路チップパッケージ４３はゲート駆動部に成り、データ駆動集積回路チップパッケージ４４はデータ駆動部に成ることである。しかしゲート駆動部及びデータ駆動部の形態は図示されているゲート駆動集積回路チップパッケージ４３及びデータ駆動集積回路チップパッケージ４４に限られない。
【００７８】
光源ユニット７６は表示パネル５０の背面の全体に一列に配置される。光源ユニット７６はデータ駆動部に隣接した外郭の部分、データ駆動部から離れた外郭の部分、及び両外郭の部分の間の中央の部分で区分される。
【００７９】
ここで、相対的に温度の高いＡ方向の光源ユニット７６はデータ駆動部に隣接した外郭の部分に位置し、相対的に温度の低いＢ方向の光源ユニット７６はデータ駆動部から離れた外郭の部分に位置する。
【００８０】
表示パネル５０は第１表示板５１及び液晶層（未図示）を間にして、第１表示板５１に対向するよう配置された第２表示板５３を含む。ここで、第１表示板５１は背面基板に、第２表示板５３は前面基板に成って、第２表示板５３のサイズは第１表示板５１のサイズより小さい。ここで、駆動集積回路チップパッケージ４３、４４は一側が第２表示板５３と重ならない第１表示板５１の縁に付着され表示パネル５０に接続される。そして駆動集積回路チップパッケージ４３、４４の中で少なくとも一つの駆動集積回路チップパッケージは他側が駆動印刷回路基板４１、４２に接続される。
【００８１】
図８では全ての駆動集積回路チップパッケージ４３、４４が駆動印刷回路基板４１、４２に接続されるように示されているが、本発明が必ずしもこれに限られることではない。ゲート駆動集積回路チップパッケージ４３に接続された駆動印刷回路基板４１は場合によって省略されることも可能である。この時、ゲート駆動集積回路チップパッケージ４３は一側が表示パネル５０に接続されて、他側はどれにも接続されない。
【００８２】
そして表示装置１００は第２表示板５３の前面と第１表示板５１の背面に其々に付着された偏光板５５、５７（図９に図示）を更に含む。偏光板５５、５７はバックライトアセンブリ７０から供給される可視光線を線偏光させる。
【００８３】
第１表示板５１及び第２表示板５３には多数の薄膜トランジスター（ｔｈｉｎ  ｆｉｌｍ  ｔｒａｎｓｉｓｔｏｒ，  ＴＦＴ）、カラーフィルター、画素電極、及び共通電極等が形成される。そして液晶層が画素電極と共通電極との間に配置される。
【００８４】
このような構成によって、スイッチング素子の薄膜トランジスターがタンオンすると、画素電極と共通電極との間に電界（ｅｌｅｃｔｒｉｃ  ｆｉｅｌｄ）が形成される。このような電界によって第１表示板５１と第２表示板５３との間に配置された液晶層の液晶の配列角度が変化され、これに従って変更される光透過度によって表示パネル５０には望まれる画像が得られる。
【００８５】
バックライトアセンブリ７０は上述の図１乃至図５の説明通りである。
【００８６】
このような構成によって、表示装置１００は均一な輝度の光が供給され画像の品質が安定的に維持できる。
【００８７】
図１０を参照して本発明の第４実施形態の表示装置２００を説明する。図１０の表示装置２００は図６及び図７のバックライトアセンブリ８０を含む。
【００８８】
図１０に示されているように、表示装置２００は光を供給するバックライトアセンブリ８０と光が供給されて画像を表示する表示パネル５０とを含む。ここで、表示パネル５０はバックライトアセンブリ８０の支持部材８１によって支持される。他に表示装置２００は表示パネル５０をバックライトアセンブリ８０の上に固定且つ支持する為にカバー部材６０を更に含んで、他の必要な部分を更に含むことができる。
【００８９】
バックライトアセンブリ８０は上述の図６及び図７の説明通りである。即ちインバーター８３は主キャパシター８３１１と副キャパシター８３１２とを含むパターンキャパシター８３１を持つ。主キャパシター８３１１に接続された副キャパシター８３１２の数を調節して、各ランプユニット８６に接続されたパターンキャパシター８３１の電気容量が調節できる。
【００９０】
このような構成によって、表示装置２００は均一な輝度の光が供給され画像の品質が安定的に維持できる。
【００９１】
また、表示装置２００が使われる環境によって相異なる複数のランプユニット８６の温度分布に合わせて、各ランプユニット８６に接続されたパターンキャパシター８３１の電気容量を調節することも可能である。したがって、表示装置２００は相異なる環境で使われても均一な光が供給され画像の品質が安定的に維持できる。
【００９２】
また、主キャパシター８３１１の回りに配置された副キャパシター８３１２の数が多ければ多い程、ランプユニット８６の輝度の調節を更に均一且つ精密にすることができる。
【００９３】
以上、本発明を説明したが、特許範囲の概念と範囲を逸脱しない限り、様々な修正及び変形が可能であることは本発明の属する技術の分野に従事する者には明らかである。
【図面の簡単な説明】
【００９４】
【図１】本発明の第１実施形態によるバックライトアセンブリの分解の斜視図である。
【図２】図１のＩＩ−ＩＩ線による断面図である。
【図３】図１のインバーターの配置の示す背面の平面図である。
【図４】図３のＩＶ−ＩＶ線によるインバーターの断面図である。
【図５】図１のランプユニット及びインバーターの簡略化した回路図である。
【図６】本発明の第２実施例によるバックライトアセンブリに適用されるインバーターの配置を示す背面の平面図である。
【図７】図６のＶＩＩ−ＶＩＩ線によるインバーターの断面図である。
【図８】本発明の第３実施形態による表示装置の分解の斜視図である。
【図９】図８のＩＸ−ＩＸ線による断面図である。
【図１０】本発明の第４実施形態による表示装置の断面図である。
【符号の説明】
【００９５】
４１、４２  駆動印刷回路基板、
４３、４４  駆動集積回路チップパッケージ、
５０  表示パネル、
５１  第１表示板、
５２  第２表示板、
６０  固定部材、
７０  バックライトアセンブリ、
７１  支持部材、
７３  インバーター、
７４  光学部材、
７５  収納部材、
７６  光源ユニット、
７７  ランプソケット、
７８  ランプカバー、
７９  反射シート、
７３１  パターンキャパシター。
【図１】
0005570694.tif 000002
【図２】
0005570694.tif 000003
【図３】
0005570694.tif 000004
【図４】
0005570694.tif 000005
【図５】
0005570694.tif 000006
【図６】
0005570694.tif 000007
【図７】
0005570694.tif 000008
【図８】
0005570694.tif 000009
【図９】
0005570694.tif 000010
【図１０】
0005570694.tif 000011